(57)【要約】【課題】  開閉器本体の接点の開閉と連動する補助スイッチの駆動レバーの回動と開閉表示器の回動を一致させて、表示位置精度の信頼性を向上させる開閉器の開閉表示装置を得る。【解決手段】  開閉器本体の接点２２の開閉動作と連動して回動駆動される補助スイッチ２４の駆動レバー２５、及び、この駆動レバー２５の回動動作位置から開閉器本体の接点２２の開閉状態を表示する開閉表示器２７を有し、上記開閉表示器２７は上記駆動レバー２５と一体に形成し、上記駆動レバー２５の回動と一体に回動して開閉器本体の接点２２の開閉状態を表示する。【選択図】図１
2006093005.tif 000002
【特許請求の範囲】
【請求項１】
開閉器本体の接点の開閉動作と連動して回動駆動される補助スイッチの駆動レバー、及び、この駆動レバーの回動動作位置から開閉器本体の接点の開閉状態を表示する開閉表示器を有するものにおいて、上記開閉表示器は上記駆動レバーと一体に形成し、上記駆動レバーの回動と一体に回動して開閉器本体の接点の開閉状態を表示するようにしたことを特徴とする開閉器の開閉表示装置。
【請求項２】
上記駆動レバーを折曲げ加工して、上記開閉表示器を上記駆動レバーと一体に形成したことを特徴とする請求項1記載の開閉器の開閉表示装置。
【請求項３】
開閉器本体、この開閉器本体の接点の開閉動作と連動して回動駆動される補助スイッチの駆動レバー、及び、この駆動レバーの回動動作位置から開閉器本体の接点の開閉状態を表示する開閉表示器を有する開閉装置において、上記開閉表示器は上記駆動レバーと一体に形成し、上記駆動レバーの回動と一体に回動して開閉器本体の接点の開閉状態を表示するようにしたことを特徴とする開閉装置。
【発明の詳細な説明】
【技術分野】
【０００１】
この発明は、開閉器の開閉表示装置及び開閉装置に関し、開閉表示機構を改良しその信頼性を向上させるものに係わる。
【背景技術】
【０００２】
図６は例えば特許文献１に記載される従来の開閉器の操作装置を示す分解斜視図である。この図６は、駆動バネ９をモータ１の回転力により徐々に蓄勢し、その放勢力により主軸１１を高速回転（回動）させて、開閉器本体の可動接点（図示では主軸１１の矢印の方向側）を駆動し、開閉動作を行う、いわゆる電動バネ操作方式の操作装置を示している。図６において、モータ１の回転力は、歯車２ａ，２ｂ、ウォームギヤ３を介してホィール４に伝達される。５〜７は同軸上に順次配置された第１〜第３の連結カムであり、第１の連結カム５は、ホィール４に一体に固定されている。第２の連結カム６は、バネレバー８と一体に設けられており、第１の連結カム５及び第３の連結カム７に対して、個別に連結または開放されるように構成されている。
【０００３】
バネレバー８は、駆動バネ９に連結されており、第１，第２の連結カム５，６を介して、モータ１の回転力が伝達された際に、駆動バネ９を圧縮蓄勢するようになっている。第３の連結カム７は、主軸１１に一体に固定されている。主軸１１は矢印方向で図示しない開閉器本体の開閉機構部に接続されており、第２，第３の連結カム６，７を介して駆動バネ９の放勢力（駆動力）が伝達された際に、開閉機構部を介して可動接点を駆動し、開閉動作を行うようになっている。
【０００４】
一方、主軸１１における開閉器本体側と反対側の端部（図の上端）には、制御用補助スイッチ１３と開閉表示器１４が連結されている。すなわち、主軸１１の一端には、連結リンク１２を介して、制御に必要な補助スイッチ１３が連結されていると同時に、連結リンク１６を介して、開閉器本体の接点の状態表示を行う開閉表示器１４及び動作回数計１５が連結されており、主軸１１に連動して動作するようになっている。補助スイッチ１３は制御回路（図示せず）の接点を開閉する。
【０００５】
【特許文献１】特開平５−８１９５７号公報（第２−３頁、図８）
【発明の開示】
【発明が解決しようとする課題】
【０００６】
上述の構造においては、開閉状態を表示する開閉表示器１４の他に、開閉表示器１４を連結リンク１６に取り付ける締結部材等が必要になり、部品点数が多くなる。また、補助スイッチ１３を駆動させる連結リンク１２と開閉表示器１４を駆動させる連結リンク１６の移動比の影響を受け、補助スイッチ１３の動作完了位置に対して開閉表示器１４の適正な位置が得られない場合には、開閉表示器１４の取り付け位置を微調整する必要があった。
この発明は、上記のような問題点を解消するためになされたもので、補助スイッチの駆動レバーの回動と開閉表示器の回動を一致させて、表示位置精度の信頼性を向上させると共に、部品点数を減少させる開閉器の表示装置及び開閉装置を得ることを目的とする。
【課題を解決するための手段】
【０００７】
この発明に係わる開閉器の開閉表示装置は、開閉器本体の接点の開閉動作と連動して回動駆動される補助スイッチの駆動レバー、及び、この駆動レバーの回動動作位置から開閉器本体の接点の開閉状態を表示する開閉表示器を有するものにおいて、上記開閉表示器は上記駆動レバーと一体に形成し、上記駆動レバーの回動と一体に回動して開閉器本体の接点の開閉状態を表示するようにしたものである。
【０００８】
この発明に係わる開閉装置は、開閉器本体、この開閉器本体の接点の開閉動作と連動して回動駆動される補助スイッチの駆動レバー、及び、この駆動レバーの回動動作位置から開閉器本体の接点の開閉状態を表示する開閉表示器を有する開閉装置において、上記開閉表示器は上記駆動レバーと一体に形成し、上記駆動レバーの回動と一体に回動して開閉器本体の接点の開閉状態を表示するようにしたものである。
【発明の効果】
【０００９】
この発明の開閉器の開閉表示装置及び開閉装置によれば、開閉器本体の接点の開閉と連動する補助スイッチの駆動レバーの回動と開閉表示器の回動を一致させて、表示位置精度の信頼性を向上させると共に、部品点数を減少させることができる。
【発明を実施するための最良の形態】
【００１０】
実施の形態１．
図１，図２はこの発明の実施の形態１における開閉器の開閉表示装置の側面断面図であり、図１は開閉器本体の接点が開放状態の場合を示し、図２は開閉器本体の接点が閉成状態の場合を示す。図３は図１からフェイスプレートを取り除いて示す開閉器の開閉表示装置の正面図である。図１，図２，図３において、主軸２１は，開閉器本体の接点２２の開閉を操作する操作機構側から出力を得て、接点２２の開閉と連動して回動する。リンクレバー２３は主軸２１に固定保持され、主軸２１と共に回動する。補助スイッチ２４は、開閉器本体の接点２２の開閉に伴なって開閉し、制御回路（図示せず）を制御する。駆動レバー２５は、軸２６を中心として回動し、その軸２６に連結された補助スイッチ２４の接点を開閉する。開閉表示器２７は、駆動レバー２５に一体に形成されている。この開閉表示器一体形駆動レバー２５は、概略Ｌ字帯片の一端を直角に折り曲げた折曲部２８を、さらに、くの字状に折り曲げて形成されている。くの字状の折曲部２８の前面側には、接点の開閉状態を示す、「切」，「入」が表示されている。
【００１１】
連結リンク２９は、その一端をリンクレバー２３に回動自在に保持され、他端を補助スイッチ２４の駆動レバー２５に回動自在に保持されている。フェイスプレート３０は開閉表示器２７の前面に配置され、開閉表示器２７のほぼ半分を示す窓孔３１を有している。
【００１２】
このような構成において、図１に示す状態から、開閉器本体の接点２２の開閉と連動して主軸２１が回動（反時計方向）すると、リンクレバー２３が回動（反時計方向）し、連結リンク２９を介して、駆動レバー２５が回動（時計方向）する。駆動レバー２５が回動することにより、補助スイッチ２４のスイッチが軸２６を介して開閉し、駆動レバー２５と一体となった開閉表示器２７が回動（時計方向）して、フェイスプレート３０の窓孔３１からの表示「切」を「入」に切換え図２の状態になる。
【００１３】
又は、逆に、回動されることにより、表示「入」を「切」に切換えることができる。このようにして、開閉表示器２７は、開閉器本体の接点２２の開閉と連動する補助スイッチ２４の駆動レバー２５の回動と一致し、開閉器本体の接点２２の開閉状態をその開閉と一致させて表示させることができる。
【００１４】
従って、補助スイッチ２４の開閉動作と開閉表示器２７の表示動作を一体化して一致させているため、開閉器本体の接点２２と連動するする補助スイッチ２４の動作完了位置に対して、開閉表示器２７の表示動作を完了させることができ、表示不良がなくなり、信頼性が向上する。また、開閉器本体の接点２２の開閉状態を示す開閉表示器２７は、締結部材が削減できるから、部品点数の削減、組立工数の削減となり安価となる。
【００１５】
実施の形態２．
図４は実施の形態２における開閉器の開閉表示装置の側面断面図で、開閉表示器一体形駆動レバー２５の他の実施の形態を示す。図中、実施の形態１と同一符号は同一又は相当部分を示す。この開閉表示器一体形駆動レバー２５では、概略Ｉ字帯片の一端を直角に折り曲げた折曲部２８を形成し、その折曲部２８に、短尺帯片を概略くの字状に曲げた開閉表示器２７を接着剤で一体に固着して形成している。くの字状の開閉表示器２７の前面側には、接点の開閉状態を示す、「切」，「入」が表示されている。
なお、上述では折曲部２８と開閉表示器２７を接着剤で一体に固着させたが、ねじ止め結合してもよい。また、開閉表示器２７の材質は、金属板の他、プラスチック、紙、木でもよい。
【００１６】
実施の形態３．
図５は開閉器本体と開閉表示装置とを合わせて示す実施の形態３の開閉装置の断面図である。図中、実施の形態１と同一符号は同一又は相当部分を示し、その説明を一部省略する。主軸２１の回動により、レバー３２を介して開閉器（例えば、真空スイッチ）本体の接点２２が開閉し、それに伴ってリンクレバー２３と連結リンク２９と駆動レバー２５を介して補助スイッチ２４のスイッチが軸２６を介して開閉し、開閉表示器２７の表示「切」，「入」が切換わる。なお、３３は固定側端子、３４は可動側端子、３５は絶縁フレームである。
【図面の簡単な説明】
【００１７】
【図１】この発明の実施の形態１における開閉器の開閉表示装置の側面断面図で、接点の開放状態を示す。
【図２】実施の形態１における開閉器の開閉表示装置の側面断面図で、接点の閉成状態を示す。
【図３】図１からフェイスプレートを取り除いて示す開閉器の開閉表示装置の正面図である。
【図４】実施の形態２における開閉器の開閉表示装置の側面断面図である。
【図５】開閉器本体と開閉表示装置とを合わせて示す実施の形態３の開閉装置の断面図である。
【図６】従来の開閉器の操作装置を示す分解斜視図である。
【符号の説明】
【００１８】
２１  主軸                              ２２  接点
２３  リンクレバー                      ２４  補助スイッチ
２５  駆動レバー                        ２６  軸
２７  開閉表示器                        ２８  折曲部
２９  連結リンク                        ３０  フェイスプレート
３１  窓孔                              ３２  レバー
３３  固定側端子                        ３４  可動側端子
３５  絶縁フレーム。
【図１】
2006093005.tif 000003
【図２】
2006093005.tif 000004
【図３】
2006093005.tif 000005
【図４】
2006093005.tif 000006
【図６】
2006093005.tif 000007
【図５】
2006093005.tif 000008